【事件の表示】
　特許第５８７１５１８号発明「自動綾巻きワインダの作業箇所を運転する方法」の特許異議申立事件について、次のとおり決定する。
【結　論】
　特許第５８７１５１８号の特許請求の範囲を訂正請求書に添付された特許請求の範囲のとおり、訂正後の請求項１について訂正することを認める。 
　特許第５８７１５１８号の請求項１に係る特許を取り消す。
【理　由】
第１　手続の経緯
　特許第５８７１５１８号（以下「本件特許」という。）に係る特許出願は、平成２３年８月２２日（パリ条約による優先権主張　２０１０年８月２１日（以下「優先日」という。）、ドイツ連邦共和国）に特許出願され、平成２８年１月２２日にその特許権の設定登録がされ、その後、その特許について、特許異議申立人村田機械株式会社（以下「特許異議申立人」という。）により特許異議の申立てがされた。そして、以後の手続の経緯は次のとおりである。
　平成２８年１２月１２日　取消理由通知
　平成２９年　３月１０日　意見書の提出（特許権者）
　　　　同年　６月１５日　取消理由通知（決定の予告）
　　　　同年　８月２９日　訂正請求書及び意見書の提出（特許権者）
　　　　同年１１月　１日　意見書の提出（特許異議申立人）
第２　訂正の適否についての判断
１．訂正の内容
　本件訂正請求による訂正の内容は、以下のとおりである。
（１）訂正事項１
　特許請求の範囲の請求項１に「前組立てされた構成ユニットとして形成されたスプライシングヘッド（１８）」とあるのを、「スプライシング角柱体（１９）が分配体（１７）にカバー金属薄板（２２）を介して固定されている前組立てされた構成ユニットとして形成されたスプライシングヘッド（１８）」に訂正する。
（２）訂正事項２
　特許請求の範囲の請求項１に「新たなスプライシングヘッド（１８）」とあるのを、「スプライシング角柱体（１９）が分配体（１７）にカバー金属薄板（２２）を介して固定されている前組立てされた構成ユニットとして形成された新たなスプライシングヘッド（１８）」に訂正する。
２．訂正の目的の適否、新規事項の有無、及び特許請求の範囲の拡張・変更の存否
（１）訂正事項１について
　上記訂正事項１に係る訂正は、「前組立てされた構成ユニットとして形成されたスプライシングヘッド（１８）」が「スプライシング角柱体（１９）が分配体（１７）にカバー金属薄板（２２）を介して固定されている」ことを特定したものであるから、特許法第１２０条の５第２項ただし書き第１号に規定する特許請求の範囲の減縮を目的とするものである。
　そして、かかる訂正は、本件特許明細書の「カバー金属薄板２２自体は、ねじボルト３９を用いて分配体１７に接続されている。カバー金属薄板２２には、さらにＯリング４０を介してスプライシング角柱体１９が固定されており、このスプライシング角柱体１９の圧力空気供給可能なスプライシング通路２０もまた同様に、それぞれ糸固有に形成されており、つまり例えばスプライシング通路の形状及び／又は、スプライシング通路において開口するスプライシング空気ノズルの配置及び構成は、特定の糸材料に合わせられている。」（段落【００５３】）との記載等に基づくものであり、願書に添付した明細書、特許請求の範囲又は図面（以下「本件特許明細書等」という。）に記載した事項の全ての記載を総合することにより導かれる技術的事項との関係において新たな技術的事項を導入するものではなく、本件特許明細書等に記載した事項の範囲内においてされたものといえる。
　また、訂正事項１は、訂正の前後で特許請求の範囲に記載された発明のカテゴリーや対象、目的を変更するものではないから、実質上特許請求の範囲を拡張し、又は変更するものではない。
　したがって、訂正事項１は、特許法第１２０条の５第９項で準用する特許法第１２６条第５項及び第６項の規定に適合する。
（２）訂正事項２について
　上記訂正事項２に係る訂正は、「新たなスプライシングヘッド（１８）」が「スプライシング角柱体（１９）が分配体（１７）にカバー金属薄板（２２）を介して固定されている前組立てされた構成ユニットとして形成された」ことを特定したものであるから、特許法第１２０条の５第２項ただし書き第１号に規定する特許請求の範囲の減縮を目的とするものである。
　そして、かかる訂正は、本件特許明細書の「カバー金属薄板２２自体は、ねじボルト３９を用いて分配体１７に接続されている。カバー金属薄板２２には、さらにＯリング４０を介してスプライシング角柱体１９が固定されており、このスプライシング角柱体１９の圧力空気供給可能なスプライシング通路２０もまた同様に、それぞれ糸固有に形成されており、つまり例えばスプライシング通路の形状及び／又は、スプライシング通路において開口するスプライシング空気ノズルの配置及び構成は、特定の糸材料に合わせられている。」（段落【００５３】）との記載等に基づくものであり、本件特許明細書等に記載した事項の全ての記載を総合することにより導かれる技術的事項との関係において新たな技術的事項を導入するものではなく、本件特許明細書等に記載した事項の範囲内においてされたものといえる。
　また、訂正事項２は、訂正の前後で特許請求の範囲に記載された発明のカテゴリーや対象、目的を変更するものではないから、実質上特許請求の範囲を拡張し、又は変更するものではない。
　したがって、訂正事項２は、特許法第１２０条の５第９項で準用する特許法第１２６条第５項及び第６項の規定に適合する。
３．小括
　以上のとおりであるから、本件訂正請求による訂正は、特許法第１２０条の５第２項ただし書第１号に掲げる事項を目的とするものであり、かつ、同条第９項において準用する同法第１２６条第５項及び第６項の規定に適合するので、本件特許の特許請求の範囲を、訂正請求書に添付された特許請求の範囲のとおり、訂正後の請求項１について訂正することを認める。
第３　特許異議の申立てについて
１．本件特許発明
　本件訂正請求により訂正された本件特許の請求項１に係る発明（以下「本件特許発明」という。）は、特許請求の範囲の請求項１に記載された事項によって特定される以下のとおりのものである。
「【請求項１】
　自動綾巻きワインダの作業箇所を運転する方法であって、自動綾巻きワインダは、スプライシングヘッドを備えた糸スプライシング装置を有していて、スプライシングヘッドは、圧力空気管路用の接続孔及び交換可能な保持兼解繊管用の受容孔を備えた分配体と、交換可能なスプライシング角柱体とを有しており、カバー金属薄板を用いて分配体に固定された保持兼解繊管と、圧力空気を供給可能なスプライシング通路を有するスプライシング角柱体とはそれぞれ、糸固有に配置構成されている、自動綾巻きワインダの作業箇所を運転する方法において、
　ロット交換時に、作業箇所の受容装置（３０）に固定するために前側から接近可能な固定装置（４４）を備えていて、スプライシング角柱体（１９）が分配体（１７）にカバー金属薄板（２２）を介して固定されている前組立てされた構成ユニットとして形成されたスプライシングヘッド（１８）を、全体として、スプライシング装置ハウジング（３１）に配置された受容装置（３０）及び圧力空気管路（２７）から取り外して、スプライシング角柱体（１９）及び保持兼解繊管（２６Ａ，２６Ｂ）のような糸処理エレメントがそれぞれ個々に新たな糸ロットに合わせられている、スプライシング角柱体（１９）が分配体（１７）にカバー金属薄板（２２）を介して固定されている前組立てされた構成ユニットとして形成された新たなスプライシングヘッド（１８）と交換することを特徴とする、自動綾巻きワインダの作業箇所を運転する方法。」
２．刊行物の記載
（１）平成２９年６月１５日付けの取消理由（決定の予告）で通知した本件特許の優先日前に頒布された刊行物である実願昭６０−５３９０８号（実開昭６１−１７８７６１号）のマイクロフィルム（以下「刊行物１」という。）には、図面と共に次の事項が記載されている。
ア．「本考案では、糸継装置を構成する各種部材のうち、解撚ノズルパイプを糸継装置本体ブロックとは別体の
着脱自在なブロック
継ぎ合わされるべき糸に適したノズルブロックを糸継装置の本体ブロックに取付固定する
イ．「第６図、第７図は糸継装置の概略構成を示す。
糸継装置（１）は、糸継孔（２）を形成した糸継部材（３）、糸押え装置（４）、糸端解撚ノズル（５）（６）、糸寄せレバー（７）、糸切断装置（８）（９）および糸クランプ装置（１０）（１１）等より構成される
　
糸継動作は
行われる
自動ワインダーに糸継装置が設けられている
ウ．「第１図、第２図において、
解撚ノズルブロック（２５）は一対の解撚ノズルパイプ（２６）（２７）を特定の糸に適した位置に調整されて位置固定し、上記パイプ（２６）（２７）に圧空を供給するためのメイン流体通路（２８）
メイン通路（２８）には本体ブロック側の圧空供給路（第４図（３１））に接続するための第１の細管（３２）が挿入固定され
　さらに、上記
解撚ノズルブロック（２５）には、糸継部材（３）の糸継孔（２）へ圧空を供給するための第２の細管（３５）が前記細管（３２）と反対側、即ちブロック（２５）の前面に突出して固定される。該第２の細管（３５）にもＯリング（３６）が嵌着され、突出部（３５ａ）は糸継部材（３）を結合する際の位置決め用として作用する
エ．「第３図、第４図において、本体ブロック（４１）が示される。本体ブロック（４１）はワインダー本体に固定されるためのボルト通し用孔（４２）（４３）が穿設され、解撚ノズルブロック固定用のねじ孔（４４）（４５）が形成されている。上記
本体ブロック（４１）のノズルブロック、結合面（４６）は平面に形成され、該結合面（４６）には解撚ノズルパイプへ圧空を供給するための供給路（３１）が開口（４７）し
糸継部材（３）、フロントプレート（３９）、解撚ノズルブロック（２５）を一体的に本体ブロック（４１）に締結させるボルト（５１）用のねじ孔（４４）が形成され
本体ブロック（４１）と解撚ノズルブロック（２５）を結合させた際には、
ボルト（５１）および第１の細管（３２）の突出部（３２ａ）、第２の細管（３５）の開口部（５２）は
本体ブロック（４１）のねじ孔（４４）、開口（４７）、開口（４９）に各々連結される
オ．「上記解撚ノズルブロック（２５）には、解撚ノズルパイプ（２７）が第５図示の如く設けられる。第５図は第２図のＶ−Ｖ断面および糸継部材（３）との関係を示す。即ち、
ノズルブロック（２５）に形成される円筒凹部（５７）にブッシュ（５８）が嵌着され、該ブッシュ（５８）の中心孔に解撚ノズルパイプ（２７）が挿入され
カ．「従って、
処理される糸に応じたパイプ（２６）（２７）を挿入固定した解撚ノズルブロック（２５）が種々用意され
　なお、
解撚ノズルブロック（２５）を
ブロック（２５）に予めフロントプレート（３９）をねじ（６２）で締結し、さらに、糸継部材（３）を第２の細管（３５）
に嵌合したものを一体として取付ける
キ．「いづれの場合も、
本体ブロック（４１）に対し、糸種に応じた解撚ノズルブロック、糸継部材を選択して組合わせ
ク．上記イ．によれば糸継装置は糸継動作を行うから、刊行物１には
糸継動作の方法
ケ．上記カ．の「ボルト（５１）をねじ孔（４４）に螺入し、さらに、ノズルブロック（２５）の孔（３７）および本体ブロック（４１）のねじ孔（４５）に図示しないボルトを螺入して組付けが完了する。」との記載を踏まえると、第１ないし４図からは、
ボルト（５１）がねじ孔（４４）に解撚ノズルブロック（２５）側から螺入可能である
　上記の記載事項を総合すると、刊行物１には、次の発明（以下「引用発明１」という。）が記載されているものと認められる。
「自動ワインダーに糸継装置が設けられ、糸継動作が行われ、
糸継装置（１）は、糸継孔（２）を形成した糸継部材（３）、糸押え装置（４）、糸端解撚ノズル（５）（６）、糸寄せレバー（７）、糸切断装置（８）（９）および糸クランプ装置（１０）（１１）等より構成され、
本体ブロック（４１）のノズルブロック、結合面（４６）は平面に形成され、該結合面（４６）には解撚ノズルパイプへ圧空を供給するための供給路（３１）が開口（４７）し、
糸継部材（３）、フロントプレート（３９）、解撚ノズルブロック（２５）を一体的に本体ブロック（４１）に締結させるボルト（５１）用のねじ孔（４４）が形成され、
本体ブロック（４１）と解撚ノズルブロック（２５）を結合させた際には、ボルト（５１）および第１の細管（３２）の突出部（３２ａ）、第２の細管（３５）の開口部（５２）は本体ブロック（４１）のねじ孔（４４）、開口（４７）、開口（４９）に各々連結され、
解撚ノズルブロック（２５）は一対の解撚ノズルパイプ（２６）（２７）を特定の糸に適した位置に調整されて位置固定し、解撚ノズルパイプ（２６）（２７）に圧空を供給するためのメイン流体通路（２８）には本体ブロック側の圧空供給路（３１）に接続するための第１の細管（３２）が挿入固定され、
解撚ノズルブロック（２５）には、糸継部材（３）の糸継孔（２）へ圧空を供給するための第２の細管（３５）が解撚ノズルブロック（２５）の前面に突出して固定され、
第２の細管（３５）にもＯリング（３６）が嵌着され、突出部（３５ａ）は糸継部材（３）を結合する際の位置決め用として作用し、
ボルト（５１）がねじ孔（４４）に解撚ノズルブロック（２５）側から螺入可能であり、
解撚ノズルブロック（２５）に形成される円筒凹部（５７）にブッシュ（５８）が嵌着され、該ブッシュ（５８）の中心孔に解撚ノズルパイプ（２７）が挿入され、
処理される糸に応じた解撚ノズルパイプ（２６）（２７）を挿入固定した解撚ノズルブロック（２５）が種々用意され、
解撚ノズルブロック（２５）に予めフロントプレート（３９）をねじ（６２）で締結し、さらに、糸継部材（３）を第２の細管（３５）に嵌合したものを一体として取付け、
本体ブロック（４１）に対し、糸種に応じた解撚ノズルブロック、糸継部材を選択して組合わせ、
継ぎ合わされるべき糸に適した着脱自在な解撚ノズルブロックを糸継装置の本体ブロックに取付固定する
糸継動作の方法。」
（２）同じく平成２９年６月１５日付けの取消理由（決定の予告）で通知した本件特許の優先日前に頒布された刊行物である特開昭６２−４１１７３号公報（以下「刊行物２」という。）には、図面と共に次の事項が記載されている。
ア．「本発明にとつて重要な部分だけが図示されている高温空気式の糸スプライシング装置は全体を１で示されている。この
糸スプライシング装置１は基体２を有し、基体２には固定ねじ３によつてプレート４とスプライシングヘツド５とが固定されている
イ．「
基体２の
２つの孔１３，１４は、
２つの保持兼準備装置１５，１６を受容する
　ニユーマチツク式の
保持兼準備装置１５は管１７を有し
保持兼準備装置１６は管１８を有し
ウ．「糸端部の準備中に環状通路２３，２４においては過圧が発生するので、
管１７，１８をシールすると共に保持するためにゴム弾性的なＯリング４１，４２が設けられている
エ．上記ア．ないしウ．の記載を踏まえると、ＦＩＧ．２からは、
孔１３，１４の段状部及びプレート４が、Ｏリング４１，４２を介して保持兼準備装置１５，１６を挟着する
　上記の記載事項を総合すると、刊行物２には、次の発明（以下「引用発明２」という。）が記載されているものと認められる。
「基体２を有し、
基体２には固定ねじ３によつてプレート４とスプライシングヘツド５とが固定され、
基体２の２つの孔１３，１４は、２つの保持兼準備装置１５，１６を受容し、
保持兼準備装置１５，１６は管１７，１８を有し、
管１７，１８をシールすると共に保持するためにゴム弾性的なＯリング４１，４２が設けられ、
孔１３，１４の段状部及びプレート４が、Ｏリング４１，４２を介して保持兼準備装置１５，１６を挟着する
糸スプライシング装置１。」
３．対比
　本件特許発明と引用発明１とを対比する。
　後者の「自動ワインダー」は、その構造、機能、作用等からみて、前者の「自動綾巻きワインダ」に相当し、同様に、「解撚ノズルブロック（２５）」及び「糸継部材（３）」は「スプライシングヘッド」に、「糸継装置」は「糸スプライシング装置」に、「圧空供給路（３１）」は「圧力空気管路」に、「円筒凹部（５７）」は「受容孔」に、「解撚ノズルブロック（２５）」は「分配体」に、「糸継部材（３）」は「スプライシング角柱体」に、「糸継ぎ孔（２）」は「スプライシング通路」に、「本体ブロック（４１）」は「スプライシング装置ハウジング（３１）」に、「ねじ孔（４４）」は「受容装置（３０）」に、「ボルト（５１）」は「固定装置（４４）」にそれぞれ相当する。
　後者においては、自動ワインダーに糸継装置が設けられ、糸継動作が行われるところ、糸継が自動ワインダーが行う作業のひとつであることは明らかであって、糸継装置はその作業が行われる箇所であるから、後者の「糸継動作の方法」は、自動綾巻きワインダの作業箇所を運転する方法であるといえる。
　後者においては、解撚ノズルブロック（２５）のメイン流体通路（２８）には本体ブロック側の圧空供給路（３１）に接続するための第１の細管（３２）が挿入固定されるから、後者の「圧空供給路（３１）に接続するための第１の細管（３２）」は前者の「圧力空気管路用の接続孔」に相当し、後者の「解撚ノズルブロック（２５）」は、圧力空気管路用の接続孔を備えるといえる。
　後者においては、解撚ノズルブロック（２５）は一対の解撚ノズルパイプ（２６）（２７）を特定の糸に適した位置に調整されて位置固定し、処理される糸に応じた解撚ノズルパイプ（２６）（２７）を解撚ノズルブロック（２５）に挿入固定するから、「解撚ノズルパイプ（２６）（２７）」は交換可能であり、糸固有に配置構成されているといえる。
　後者においては、本体ブロック（４１）に対し、糸種に応じた解撚ノズルブロック、糸継部材を選択して組合わせるのだから、後者の「糸継部材（３）」は、交換可能であり、糸固有に配置構成されているといえる。
　後者の「フロントプレート（３９）」と前者の「カバー金属薄板」とは、ともに「カバー薄板」といえるから、両者はカバー薄板を有するとの概念で共通する。
　後者においては、解撚ノズルブロック（２５）には、糸継部材（３）の糸継孔（２）への圧空を供給するための第２の細管（３５）が解撚ノズルブロック（２５）の前面に突出して固定されるから、後者の「糸継孔（２）」は圧力空気を供給可能であって、前者の「圧力空気を供給可能なスプライシング通路」に相当する。
　後者の「ボルト（５１）」は、ねじ孔（４４）に解撚ノズルブロック（２５）側から螺入可能であるから、作業箇所の受容装置に固定するために前側から接近可能であるといえる。
　後者においては、解撚ノズルブロック（２５）に予めフロントプレート（３９）をねじ（６２）で締結し、さらに、糸継部材（３）を第２の細管（３５）に嵌合したものを一体として取付け、また、第２の細管（３５）にもＯリング（３６）が嵌着され、突出部（３５ａ）は糸継部材（３）を結合する際の位置決め用として作用するところ、「第２の細管（３５）」は解撚ノズルブロック（２５）の前面に突出して固定されるから「解撚ノズルブロック（２５）」の一部をなすといえ、後者は「糸継部材（３）」を「解撚ノズルブロック（２５）」に嵌合し、結合したものを一体として取付けるのであって、「解撚ノズルブロック（２５）」及び「糸継部材（３）」は前組立てされた構成ユニットとして形成されたといえる。また、「嵌める」の一般的な意味は「くぼみに入れて固定する。」（株式会社岩波書店「広辞苑第六版」）であって、「嵌合する」も同様の意味を有すると認められるから、糸継部材（３）を第２の細管（３５）に嵌合することは、糸継部材（３）に第２の細管（３５）を入れて固定することであると解される。そうすると、後者の「解撚ノズルブロック（２５）に予めフロントプレート（３９）をねじ（６２）で締結し、さらに、糸継部材（３）を第２の細管（３５）に嵌合したものを一体として取付け」、「第２の細管（３５）にもＯリング（３６）が嵌着され、突出部（３５ａ）は糸継部材（３）を結合する際の位置決め用として作用」するものは、前者の「スプライシング角柱体（１９）が分配体（１７）にカバー金属薄板（２２）を介して固定されている前組立てされた構成ユニットとして形成されたスプライシングヘッド（１８）」に相当する。
　後者においては、本体ブロック（４１）に対し、糸種に応じた解撚ノズルブロック、糸継部材を選択して組合わせ、継ぎ合わされるべき糸に適した着脱自在な解撚ノズルブロックを糸継装置の本体ブロックに取付固定するから、ロット交換時に解撚ノズルブロック（２５）及び糸継部材（３）が取り外されることは明らかである。また、後者においては、糸継部材（３）、フロントプレート（３９）、解撚ノズルブロック（２５）を一体的に本体ブロック（４１）に締結させるボルト（５１）用のねじ孔（４４）が形成され、解撚ノズルパイプ（２６）（２７）に圧空を供給するためのメイン流体通路（２８）には本体ブロック側の圧空供給路（３１）に接続するための第１の細管（３２）が挿入固定されるから、解撚ノズルブロック（２５）及び糸継部材（３）を取り外す際には、本体ブロック（４１）に配置されたねじ孔（４４）及び圧空供給路（３１）から取り外されることになる。また、後者においては、解撚ノズルブロック（２５）及び糸継部材（３）を取り付ける際に糸継部材（３）を解撚ノズルブロック（２５）に嵌合し、結合しているから、取り外す際には解撚ノズルブロック（２５）及び糸継部材（３）を全体として取り外すことになる。そうすると、後者は、ロット交換時に、スプライシングヘッドを、全体として、スプライシング装置ハウジングに配置された受容装置及び圧力空気管路から取り外すといえる。
　後者においては解撚ノズルブロック（２５）に処理される糸に応じた解撚ノズルパイプ（２６）（２７）を挿入固定し、本体ブロック（４１）に対し、糸種に応じた解撚ノズルブロック、糸継部材を選択して組合わせるから、後者はスプライシング角柱体及び保持兼解繊管のような糸処理エレメントがそれぞれ個々に新たな糸ロットに合わせられている、新たなスプライシングヘッドと交換するといえる。また、後者の「糸種に応じた解撚ノズルブロック、糸継部材を選択して組合わせ」たものは、「解撚ノズルブロック」と「糸継部材」とを組み合わせたものであるから、解撚ノズルブロック（２５）に予めフロントプレート（３９）をねじ（６２）で締結し、さらに、糸継部材（３）を第２の細管（３５）に嵌合したものを一体として取付け、第２の細管（３５）にもＯリング（３６）が嵌着され、突出部（３５ａ）は糸継部材（３）を結合する際の位置決め用として作用するものであることは明らかであって、前者の「スプライシング角柱体（１９）が分配体（１７）にカバー金属薄板（２２）を介して固定されている前組立てされた構成ユニットとして形成された新たなスプライシングヘッド（１８）」に相当するといえる。
　したがって、本件特許発明と引用発明１とは、
「自動綾巻きワインダの作業箇所を運転する方法であって、自動綾巻きワインダは、スプライシングヘッドを備えた糸スプライシング装置を有していて、スプライシングヘッドは、圧力空気管路用の接続孔及び交換可能な保持兼解繊管用の受容孔を備えた分配体と、交換可能なスプライシング角柱体とを有しており、カバー薄板を有し、保持兼解繊管と、圧力空気を供給可能なスプライシング通路を有するスプライシング角柱体とはそれぞれ、糸固有に配置構成されている、自動綾巻きワインダの作業箇所を運転する方法において、
　ロット交換時に、作業箇所の受容装置に固定するために前側から接近可能な固定装置を備えていて、スプライシング角柱体が分配体にカバー金属薄板を介して固定されている前組立てされた構成ユニットとして形成されたスプライシングヘッドを、全体として、スプライシング装置ハウジングに配置された受容装置及び圧力空気管路から取り外して、スプライシング角柱体及び保持兼解繊管のような糸処理エレメントがそれぞれ個々に新たな糸ロットに合わせられている、スプライシング角柱体が分配体にカバー金属薄板を介して固定されている前組立てされた構成ユニットとして形成された新たなスプライシングヘッドと交換する、自動綾巻きワインダの作業箇所を運転する方法。」
の点で一致し、以下の点で相違している。
［相違点］
　前者では、保持兼解繊管が「カバー金属薄板を用いて分配体に固定された」のに対して、後者ではその点につき明らかでない点。
４．判断
　上記相違点について検討する。
　引用発明２の「基体２」は、その構造、機能、作用等からみて、本件特許発明の「分配体」に相当し、同様に、「スプライシングヘツド５」は「スプライシング角柱体」に、「保持兼準備装置１５，１６」は「保持兼解繊管」に、「糸スプライシング装置１」は「糸スプライシング装置」にそれぞれ相当する。
　引用発明２の「プレート４」と本件特許発明の「カバー金属薄板」とは、「カバー薄板」との概念で共通する。
　引用発明２においては、基体２には固定ねじ３によつてプレート４が固定され、基体２の２つの孔１３，１４は、２つの保持兼準備装置１５，１６を受容し、保持兼準備装置１５は管１７を有し、保持兼準備装置１６は管１８を有し、管１７，１８をシールすると共に保持するためにゴム弾性的なＯリング４１，４２が設けられ、孔１３，１４の段状部及びプレート４が、Ｏリング４１，４２を介して保持兼準備装置１５，１６を挟着している。そうすると、引用発明２においては、保持兼準備装置１５，１６はプレート４を用いて基体２に固定されているといえ、本件特許発明と引用発明２とは、保持兼解繊管がカバー薄板を用いて分配体に固定されているとの概念で共通している。
　引用発明１及び２は糸スプライシング装置の点で技術分野が共通しており、引用発明１の「フロントプレート（３９）」及び引用発明２の「プレート４」はともに「分配体」（引用発明１の「解撚ノズルブロック（２５）」、引用発明２の「基体２」）に固定される部材であるから、引用発明１に引用発明２を適用して、保持兼解繊管がカバー薄板を用いて分配体に固定されるようになすことは、当業者が容易に想到し得るものである。
　また、糸スプライシング装置の部材を金属製とすることは従来普通に行われていることであって、引用発明１において部材の強度等を考慮して「フロントプレート（３９）」を金属製とすることは当業者が適宜なし得たことである。
　そして、本件特許発明の発明特定事項の全体によって奏される効果も、引用発明１及び２から当業者が予測し得る範囲内のものである。
　そうすると、本件特許発明は、引用発明１及び２に基づいて、当業者が容易に発明をすることができたものである。
第４　むすび
　以上のとおり、本件特許発明は、引用発明１及び２に基づいて、当業者が容易に発明をすることができたものであるから、本件特許の請求項１に係る特許は特許法第２９条第２項の規定に違反してされたものであり、同法第１１３条第２号に該当し、取り消されるべきものである。
　よって、結論のとおり決定する。
【異議決定日】
平成２９年１１月１４日（２０１７．１１．１４）
【訂正の要旨】
審決（決定）の【理由】欄参照。
（５７）【特許請求の範囲】
　【請求項１】
　自動綾巻きワインダの作業箇所を運転する方法であって、自動綾巻きワインダは、スプライシングヘッドを備えた糸スプライシング装置を有していて、スプライシングヘッドは、圧力空気管路用の接続孔及び交換可能な保持兼解繊管用の受容孔を備えた分配体と、交換可能なスプライシング角柱体とを有しており、カバー金属薄板を用いて分配体に固定された保持兼解繊管と、圧力空気を供給可能なスプライシング通路を有するスプライシング角柱体とはそれぞれ、糸固有に配置構成されている、自動綾巻きワインダの作業箇所を運転する方法において、
　ロット交換時に、作業箇所の受容装置（３０）に固定するために前側から接近可能な固定装置（４４）を備えていて
、スプライシング角柱体（１９）が分配体（１７）にカバー金属薄板（２２）を介して固定されている
スプライシング角柱体（１９）が分配体（１７）にカバー金属薄板（２２）を介して固定されている前組立てされた構成ユニットとして形成された